(57)【要約】【課題】予め夫々の光路切換素子に対し入力用光ファイバーから出力用光ファイバーヘ導光する為の、全てのミラー角度条件を短時間で得る。【解決手段】ユニット評価機の基準電圧Ｖｒｅｆ’をそれぞれの入力用光路切換手段及び光路切換駆動手段からなる光路切換素子毎に測定し、その測定結果に基いて直線補間で光通信用ミラーの角度に対応した電圧を計算して該基準電圧Ｖｒｅｆ’で角度・電圧変換データテーブルを生成するとともに、該基準電圧Ｖｒｅｆ’前後の複数の電圧の角度・電圧変換データテーブルを生成し、これらの角度・電圧変換データテーブルと光素子制御装置の基準電圧Ｖｒｅｆとをメモリ２２１に記憶させる。【選択図】  図５
2004212659.tif 000002
【特許請求の範囲】
【請求項１】
１または複数の入力用光ファイバと、
１または複数の出力用光ファイバと、
光路切換駆動制御信号に基づいて前記入力用ファイバから出射する光通信光の光路を切り換えて出力用光ファイバに入射させる光路切換素子と、
前記光路切換素子の偏向量を検出する偏向量検出傾きセンサと、
前記偏向量検出傾きセンサが検出した検出偏向量を基に前記光路切換素子を駆動制御する前記光路切換駆動制御信号を形成する光路切換駆動手段と
を備え、
前記光路切換素子は、
前記入力用光ファイバからの光を前記出力用光ファイバヘ偏向する為のミラー傾きセンサと、
１または複数の前記ミラ一角設定信号を呼び出しまたは記録させる記録手段と
を有し、
前記ミラー角設定信号値を、前記光路切換素子単体時の基準電圧値と、前記光路切換素子を光素子制御装置に配置した後の基準電圧値とで補正する
ことを特徴とする光素子制御装置。
【発明の詳細な説明】
【０００１】
【発明の属する技術分野】
本発明は、光通信等に用いられ、光路切換素子により光通信光の光路を切り換え可能にした光素子制御装置に関する。
【０００２】
【従来の技術】
従来のこの種の光素子制御装置としては、１または複数の入力用光ファイバと、１または複数の出力用光ファイバと、光路切換駆動制御信号に基づいて前記入力用ファイバから出射する光通信光の光路を切り換えて出力用光ファイバに入射させる光路切換手段と、前記光路切換手段の偏向量を検出し当該検出偏向量を基に前記光路切換手段を駆動制御する前記光路切換駆動制御信号を形成する光路切換駆動手段とからなるものとして知られている。
【０００３】
図７は、従来の光素子制御装置を示す図である。この図７において、従来の光素子制御装置は、平行状態に置かれた複数の入力用光ファイバ１３１〜１３７と、前記複数の入力用光ファイバ１３１〜１３７に対して平行に配置されかつこれらから所定の距離離れた位置に配置された出力用光ファイバ１４１〜１４７と、前記入力用光ファイバ１３１〜１３７の端面に配置され前記光ファイバ１３１〜１３７の出射光を平行光にする入力光用コリメータレンズ１７１〜１７７と、入力光用コリメータレンズ１７１〜１７７からの平行光を所望の方向に反射させる入力用光路切換手段１５１〜１５７と、入力用光路切換手段１５１〜１５７で反射された平行光を出力用光ファイバ１４１〜１４７に入射させる出力用光路切換手段１６１〜１６７と、前記出力用光路切換手段１６１〜１６７からの光を集光して前記出力用光ファイバ１４１〜１４７に導光する出力光用コリメータレンズ１８１〜１８７と、前記光路切換手段１５１〜１５７，１６１〜１６７の偏向量を検出し当該検出偏向量を基に前記光路切換手段１５１〜１５７，１６１〜１６７を駆動制御する光路切換駆動制御信号を形成する光路切換駆動手段１２１〜１２７，１９１〜１９７とを備えたものである。
【０００４】
図８は、特開２００１−２６４６６３号公報に示される従来の光素子制御装置で使用される入力用光路切換手段及び光路切換駆動手段からなる光路切換素子の構成を示すブロック図である。なお、図７において、入力用光路切換手段１５１〜１５７及び出力用光路切換手段１６１〜１６７は同一構成であるので、図８では入力用光路切換手段１５１を代表させて説明し、他のものの構成の説明を省略する。また、図７において、前記光路切換駆動手段１２１〜１２７，１９１〜１９７は同一構成であるので、図８では光路切換駆動手段１２１を代表させて説明し、他のものの構成の説明を省略する。
【０００５】
この図８に示す従来の光路切換素子は、入力用光路切換手段１５１と、光路切換駆動手段１２１とから構成されている。
【０００６】
これらの詳細についてさらに説明すると、前記入力用光路切換手段１５１は、光通信用ミラー１５１ａと、前記光通信用ミラー１５１ａの反対側に設けたセンサーミラー１５１ｂとを備え、これらがＸ軸の回りに回動可能に構成されている。前記光通信用ミラー１５１ａが光通信用の光ビームの反射に、前記センサーミラー１５１ｂが角度制御に、それぞれ用いられるようになっている。
【０００７】
また、光路切換駆動手段１２１は、レーザーダイオード１２２と、このレーザーダイオード１２２を駆動するＬＤ駆動回路１２３と、レーザーダイオード１２２から照射された光ビームの光量を制御する濃度フィルタ１２４と、この濃度フィルタ１２４を通り前記センサーミラー１５１ｂで反射された光ビームを受光する２次元検出平面１２５ａを有する光検出器１２５と、前記光検出器１２５からの検出信号を基に前記入力用光路切換手段１５１の角度を制御する駆動系に制御駆動電流を供給する光位置検出処理回路１２６とから構成されている。
【０００８】
なお、前記入力用光路切換手段１５２〜１５７及び前記出力用光路切換手段１６１〜１６７は、前記入力用光路切換手段１５１と同様に構成され、かつ、前記光路切換手段１５２〜１５７及び前記光路切換手段１６１〜１６７を前記光路切換駆動手段１２１〜１２７，１９１〜１９７で制御するようにすることにより、前記入力用光路切換手段１５１〜１５７及び前記出力用光路切換手段１６１〜１６７の角度調整を行うことができる。
【０００９】
このような構成をした従来装置の動作を以下に説明する。入力用光ファイバ１３１〜１３７から出力された出力光は、入力光用コリメータレンズ１７１〜１７７で平行光とされた後、入力用光路切換手段１５１〜１５７により出力用光路切換手段１６１〜１６７側に偏向される。
【００１０】
前記出力用光路切換手段１６１〜１６７で反射された出力光は、出力光用コリメータレンズ１８１〜１８７で集光されて、出力光用コリメータレンズ１８１〜１８７の焦点位置に端面が配置された出力用光ファイバ１４１〜１４７に導光される。
【００１１】
前記光路切換駆動手段の角度調整においては、前記光通信用ミラー１５１ａを、各出力ファイバと光結合状態になるように角度目標を学習するため、例えば製品出荷前に入力側のファイバがｍ本、出力側のファイバをｎ本として、ｍ×ｎの全てのファイバ結合組み合わせ状態において、それぞれの角度状態におけるセンサ出力をメモリに記憶させる。
【００１２】
【特許文献１】
特開２００１−２６４６６３号公報
【００１３】
【発明が解決しようとする課題】
しかしながら、予め夫々の光路切換手段に対し入力用光ファイバーから出力用光ファイバーヘ導光する為に、ミラー角度条件の全てを学習させる図７の光路切換駆動手段においては、学習させる為の操作が煩雑であり、条件出しに多くの時間を費やすという問題があった。
【００１４】
そこで、複数の前記入力用光路切換手段及び光路切換駆動手段からなる光路切換素子を光素子制御装置内に配置する前に、ユニット評価機を用いて予め前記入力用光路切換手段及び光路切換駆動手段単体でミラーを回動したときの角度センサ出力評価を実施する。例えば単体評価でミラー角度が５°のときに角度センサ出力が１Ｖであるという結果が得られ、光素子制御装置で学習させる時のミラー角度目標が５°であったら、角度センサ出力が１Ｖになるようにまず粗調整を行なうことが考えられるが、以下の問題があった。
【００１５】
ユニット評価機は、前記ユニット評価機のセンサ出力信号を評価するための基準電圧値を、評価機固有のある決まった値に固定しているが、光素子制御装置制御部の基準電圧値は、回路に使用されるツェナーダイオードのばらつきや抵抗値精度により、装置毎に値がばらつく。
【００１６】
図９は基準電圧発生回路の一例であるが、出力電圧２．５Ｖのツェナーダイオードから２Ｖの基準電圧を作っている。一般的な特性として、ツェナーダイオードの出力電圧精度が±５％、抵抗精度が１％とすると、基準電圧値は、
最大値：２．５Ｖ×１．０５×（１０×１．０１／（１０×１．０１＋２．５×０．９９））＝２．１１Ｖ
最小値：２．５Ｖ×０．９５×（１０×０．９９／（１０×０．９９＋２．５×１．０１））＝１．８９Ｖ
となり、目標とする２Ｖに対して±５．５％の誤差発生となる。
【００１７】
この基準電圧が前記光素子制御装装置のＡ／Ｄコンバータに供給されると、Ａ／Ｄコンバータの精度も±５．５％となる。つまり、例えばユニット評価機で前記光路切換素子のミラー角度を５°回動したときのセンサ出力が１Ｖという評価結果が得られていたとして、その単体ユニットを前記光素子制御装置内に配置すると、ユニット評価機と同じ５°に回動したときのセンサ出力電圧は０．９４５Ｖから１．０５５Ｖまでばらつくということである。
【００１８】
逆に光素子制御装置でセンサ出力が１Ｖになるようにミラーを回動すると、４．７  ３°  〜５．２  ８°の範囲で、前記光路切換素子のミラーはユニット評価機で回動した場合に対して、異なる方向に偏向されてしまう。
【００１９】
以上のような誤差が、部品公差や組み立て精度の誤差に加わった状態で、ユニット評価機でのセンサ出力値をそのまま前記光素子制御装置の学習を行なう際の粗調整の目標値とすると、粗調整後において、出力側のファイバーにほとんど通信光が入射しないといった不具合が発生する。
【００２０】
このような状態から微小に前記光路切換素子のミラーを回動しても出力ファイバーの受光量（仮に出力ファイバ各々に光量モニタ用ＰＤ等追加）はほとんど増減しないため、どちらの方向にミラーを傾ければ最適方向に向かうのかの判断が困難となり、前記光路切換素子のミラー角度の微調整に大変に長い時間を費やす。特に多チャンネルの光素子制御装置では、その学習時間の増加が著しくなる。
【００２１】
この電圧誤差を補正するために、例えば図１０に示すようにトリマ抵抗を光素子制御装置の基準電圧発生回路に組み込む方法が考えられる。このようにすれば各光路切換素子の基準電圧を、ユニット評価機の基準電圧と一致させることが可能となるが、トリマ抵抗で調整を行なうと、トリマ調整工数が必要となることとトリマ抵抗は普通の抵抗に比べて高価であることから原価アップにつながる。また、トリマ抵抗は固定抵抗に比べると信頼性が低く、高信頼性が要求される光通信ネットワークに組み込んで使用する製品において問題がある。
【００２２】
本発明は、前記事情に鑑みてなされたものであり、予め夫々の光路切換素子に対し入力用光ファイバーから出力用光ファイバーヘ導光する為の、全てのミラー角度条件を短時間で得ることのできる光素子制御装置を提供することを目的としている。
【００２３】
【課題を解決するための手段】
本発明の光素子制御装置は、１または複数の入力用光ファイバと、１または複数の出力用光ファイバと、光路切換駆動制御信号に基づいて前記入力用ファイバから出射する光通信光の光路を切り換えて出力用光ファイバに入射させる光路切換素子と、前記光路切換素子の偏向量を検出する偏向量検出傾きセンサと、前記偏向量検出傾きセンサが検出した検出偏向量を基に前記光路切換素子を駆動制御する前記光路切換駆動制御信号を形成する光路切換駆動手段とを備え、前記光路切換素子は、前記入力用光ファイバからの光を前記出力用光ファイバヘ偏向する為のミラー傾きセンサと、１または複数の前記ミラ一角設定信号を呼び出しまたは記録させる記録手段とを有し、前記ミラー角設定信号値を、前記光路切換素子単体時の基準電圧値と、前記光路切換素子を光素子制御装置に配置した後の基準電圧値とで補正することを特徴とする。
【００２４】
【発明の実施の形態】
以下、図面を参照しながら本発明の実施の形態について述べる。
【００２５】
図１〜図６は本発明の実施の形態に係わり、図１は光路切換制御装置を示すブロック図、図２は図１の入力用光路切換手段及び光路切換駆動手段からなる光路切換素子を示すブロック図、図３は図２の入力用光路切換手段及び光路切換駆動手段からなる光路切換素子を単体で評価するユニット評価機を示すブロック図、図４はユニット評価機の基準電圧の測定を説明する図、図５は図２のメモリに格納されるデータを示す図、図６は図２のメモリに格納されるデータの変形例を示す図である。
【００２６】
まず、図１を参照して本実施の形態に係る光素子制御装置の全体構成について説明する。この図１において、本実施の形態に係る光素子制御装置は、平行状態に置かれた複数の入力用光ファイバ３１〜３７と、前記複数の入力用光ファイバ３１〜３７に対して平行に配置されかつこれらから所定の距離離れた位置に配置された出力用光ファイバ４１〜４７と、前記入力用光ファイバ３１〜３７の端面に配置され前記光ファイバ３１〜３７からの出射光を平行光にする入力光用コリメータレンズ７１〜７７と、入力光用コリメータレンズ７１〜７７からの平行光を所望の方向に反射させる入力用光路切換手段５１〜５７と、入力用光路切換手段５１〜５７で反射された平行光を出力用光ファイバ４１〜４７に入射させる出力用光路切換手段６１〜６７と、前記光路切換素子６１〜６７からの光を集光して前記出力用光ファイバ４１〜４７に導光する出力光用コリメータレンズ８１〜８７と、前記光路切換手段５１〜５７，６１〜６７の偏向量を検出し当該検出偏向量を基に前記光路切換手段５１〜５７，６１〜６７を駆動制御する光路切換駆動制御信号を形成する光路切換駆動手段２１〜２７，９１〜９７と、前記光路切換駆動手段２１〜２７，９１〜９７を統括制御する統括制御部１０とを備えている。
【００２７】
なお、統括制御部１０は、大別すると、制御演算部１１と、記憶手段１２とから構成れさている。
【００２８】
ここに、前記制御演算部１１は、前記各光路切換駆動手段２１，２２，…，２７の制御部及び前記各光路切換駆動手段９１，９２，…，９７の制御部に接続されていて前記各光路切換駆動手段２１，２２，…，２７の制御部及び前記各光路切換駆動手段９１，９２，…，９７の制御部の駆動制御を統括的に行ったり、各種の演算処理を実行する。
【００２９】
また、前記記憶手段１２は、本発明の第１の実施の形態に係る光路切換制御装置を動作させるプログラムや、各種データを格納している。
【００３０】
図２は、本実施の形態に係る光素子制御装置に用いられる入力用光路切換手段及び光路切換駆動手段からなる光路切換素子を示すブロック図である。なお、図１において、入力用光路切換手段５１〜５７及び出力用光路切換手段６１〜６７は同一構成であるので、図２では入力用光路切換手段５１を代表させて説明し、他のものの構成の説明を省略する。また、図１において、前記光路切換駆動手段２１〜２７，９１〜９７は同一構成であるので、図２では光路切換駆動手段２１を代表させて説明し、他のものの構成の説明を省略する。
【００３１】
この図２において、前記入力用光路切換手段５１は、光通信用ミラー５１ａ、センサーミラー５１ｂ、コイル５１ｃ，５１ｄ、可動ホルダ５１ｅ、固定磁石５１ｆ，５１ｇを備え、次のように構成されている。光通信光を反射する光通信用ミラー５１ａと、前記光通信用ミラー５１ａの裏面側に設けたセンサーミラー５１ｂと、コイル５１ｃ，５１ｄとは、可動ホルダ５１ｅに具備されている。この可動ホルダ５１ｅは、所定の回転軸（図示せず）の回りに回動可能に構成されている。
【００３２】
前記可動ホルダ５１ｅのコイル５１ｃ，５１ｄは、図２に示すように、固定磁石５１ｆ，５１ｇと対峙した状態に配置されている。前記コイル５１ｃ，５１ｄは、当該コイル５１ｃ，５１ｄに供給される駆動制御信号によって発生する電磁力と固定磁石５１ｆ，５１ｇから供給される界磁により、可動ホルダ５１ｅを所定の角度に制御できるようになっている。
【００３３】
前記光路切換駆動手段２１は、発光素子駆動回路２１１と、発光素子２１２と、分割ＰＤ２１３と、電流／電圧アンプ２１４と、差動アンプ２１５と、Ａ／Ｄコンバータ２１６と、Ｄ／Ａコンバータ２１７と、ミラー駆動回路２１８と、受光量検出部２１９と、制御部２２０と、メモリ２２１とを備え、次のように構成されている。
【００３４】
前記発光素子駆動回路２１１は前記制御部２２０の制御端子に接続されていて、前記制御部２２０により制御されるようになっている。発光素子駆動回路２１１は、発光素子２１２に電気的に接続されていて、発光素子２１２の発光量が発光素子駆動回路２１１からの駆動信号により制御されるようになっている。発光素子２１２を出射したセンサー光は、センサーミラー５１ｂを反射して分割ＰＤ２１３に入射するようになっている。
【００３５】
分割ＰＤ２１３は、センサーミラー５１ｂの偏向量（角度）を検出できるようになっている。分割ＰＤ２１３の出力端子は、電流／電圧アンプ２１４のプラス入力端子とマイナス入力端子とに接続されていて、分割ＰＤ２１３の検出信号に応じた出力信号を抵抗Ｒ３を介して差動アンプ２１５のマイナス入力端子に供給するとともに、Ａ／Ｄコンバータ２１６の入力端子に供給できるようになっている。前記Ａ／Ｄコンバータ２１６の出力端子は、制御部２２０に接続されていて、Ａ／Ｄコンバータ２１６で検出したセンサー出力を制御部２２０に与えられるようになっている。
【００３６】
この電流／電圧アンプ２１４は、出力端子とマイナス入力端子の間に抵抗Ｒ２が接続されるとともに、プラス入力端子と所定の電源との間に抵抗Ｒ１が接続された構成をしており、電流信号を電圧信号に変換できるようになっている。
【００３７】
前記差動アンプ２１５は、マイナス入力端子と出力端子との間に抵抗Ｒ４が接続されており、かつ、プラス入力端子にＤ／Ａコンバータ２１７の出力端子が接続されている。この差動アンプ２１５は、一種の比較器の役割を果たし、Ｄ／Ａコンバータ２１７から供給される制御電圧と、センサー出力信号との差の偏差信号を形成し、その偏差信号をミラー駆動回路２１８に供給できるようになっている。
【００３８】
前記Ｄ／Ａコンバータ２１７は、制御部２２０からの駆動信号により動作して所定のアナログ電圧を差動アンプ２１５に供給できるようになっている。なお、Ａ／Ｄコンバータ２１６及びＤ／Ａコンバータ２１７には、基準電圧源２５０から基準電圧Ｖｒｅｆが供給されるようになっている。
【００３９】
制御部２２０には、出力用光ファイバ４１〜４７夫々の光量モニタである受光量検出部２１９からの検出信号が入力されるようになっており、この受光量検出部２１９からの検出信号を基に出力用光ファイバ４１〜４７が待機状態にあるか光通信状態にあるかを判断することができるようになっている。
【００４０】
前記制御部２２０にはメモリ２２１が接続されており、前記メモリ２２１に格納されている各種データを基に前記動作プログラムにより制御部２２０が所定の動作を実行できる。このメモリ２２１には、各入力用光路切換手段５１〜５７が光結合するときに偏向すべき量と、出力用光路切換手段６１〜６７が光結合するときに偏向すべき量とが記憶されている。
【００４１】
前記ミラー駆動回路２１８は、前記差動アンプ２１５からの偏差信号あるいは制御部２２０からの制御信号に基づき、コイル５１ｃ，５１ｄに駆動制御信号を供給できるようになっている。
【００４２】
なお、前記制御部２２０は、前記統括制御部１０からの統括指令に基づき動作するようになっている。
【００４３】
本実施の形態では、前記入力用光路切換手段５１及び光路切換駆動手段２１からなる光路切換素子を光素子制御装置内に配置する前に、図３に示すようなユニット評価機３００を用いて予め前記入力用光路切換手段５１及び光路切換駆動手段２１単体でミラーを回動したときの角度センサ出力評価を実施する。
【００４４】
ユニット評価機３００は、入力用光路切換手段５１に光を出射するファイバ３０１と、入力用光路切換手段５１で反射された光を検出し入力用光路切換手段５１の偏向角を検知する角度検出器３０２とから構成される。また、図４に示すように、Ａ／Ｄコンバータ２１６及びＤ／Ａコンバータ２１７には、ユニット評価機３００のテスト用基準電圧源３５０から基準電圧Ｖｒｅｆ’が供給されるようになっている。
【００４５】
ユニット評価機３００で光通信用ミラー５１ａの角度と角度検出器３０２の出力の関係を測定する場合、全ての角度における角度検出器３０２の出力を測定することは不可能であるので、代表的な数点の角度で測定を行ない、光素子制御装置での角度検出器３０２の出力指示値は、その数点の角度での角度検出器３０２の出力測定値から補間計算を行なって求めることになる。
【００４６】
例えばユニット評価機３００での測定が０°と±５°の３点で行なわれ、その結果が
０°  ：０．１Ｖ
＋５°：３．３Ｖ
−５°：−３．２Ｖ
であった場合、直線補間で光通信用ミラー５１ａの角度が３．４°の場合の電圧を計算すると、
（３．３−０．１）×３．４／５＋０．１＝２．２７６Ｖ
光通信用ミラー５１ａの角度が−１．８°の場合を計算すると
（−３．２−０．１）×（−１．８）／（−５）＋０．１＝−１．０８８Ｖ
となる。
【００４７】
ここでは直線補間で計算したが、センサの特性が２次曲線で変化する場合は２次曲線、または他の関係で変化する場合はその関係で補間計算を行う。
【００４８】
テスト用基準電圧源３５０の基準電圧Ｖｒｅｆ’に関しては、ユニット評価機３００が固定状態なので、図４のように測定器３６０等によりユニット評価機３００の稼動開始時に測定確認しておくか、日々ユニット評価開始時に確認しても良い。
【００４９】
光素子制御装置の基準電圧Ｖｒｅｆは、製品を組み立てた後に、図２のように測定器３６０等により測定を行ない、メモリ２２１に記憶させる。  Ｄ／Ａコンパータ２１７の出力電圧は基準電圧に比例するので、ユニット評価機３００の基準電圧Ｖｒｅｆ’に対する光素子制御装置の基準電圧Ｖｒｅｆの比に反比例して、光通信用ミラー５１ａの角度を指示するＤ／Ａコンパータ２１７の設定値を変更する。
【００５０】
例えば、ユニット評価機３００の基準電圧Ｖｒｅｆ’が２Ｖ、光素子制御装置の基準電圧Ｖｒｅｆが２．１Ｖで、  Ｄ／Ａコンパータ２１７の仕様が以下の通りであったとする。
【００５１】
分解能：１６ビット  （７ＦＦＦｈ〜８０００ｈ、コンプリメンタリ出力）
設定００００ｈ時出力電圧＝０Ｖ
設定４０００ｈ時出力電圧＝基準電圧
この場合Ｄ／Ａ設定ビット値を、ユニット評価機３００と光素子制御装置の基準電圧に反比例させて以下のように変更することで、ユニット評価データから計算された値通りの電圧を指示できるようになる。
【００５２】
Ｄ／Ａ出力電圧        基準電圧＝２Ｖ      基準電圧２．１Ｖ
２．２７６Ｖ          ４８Ｄ５ｈ          ４５５Ｄｈ
−１．０８８Ｖ          ＤＤ２Ｆｈ          ＤＥＤ８ｈ
この補正は、光通信用ミラー５１ａを１つの角度方向のみ動かす場合は１つの目標値指示用Ｄ／Ａコンパータの出力、２つの角度方向に動かす場合は２つの目標値指示用Ｄ／Ａコンバータの出力に対して実施すれば良い。
【００５３】
本実施の形態では、ユニット評価機３００の基準電圧Ｖｒｅｆ’をそれぞれの前記入力用光路切換手段５１及び光路切換駆動手段２１からなる光路切換素子毎に測定し、その測定結果に基いて直線補間で光通信用ミラー５１ａの角度に対応した電圧を計算して該基準電圧Ｖｒｅｆ’での角度・電圧変換データテーブルを生成するとともに、該基準電圧Ｖｒｅｆ’前後の複数の電圧ので角度・電圧変換データテーブルを生成し、図５に示すように、これらの角度・電圧変換データテーブルと光素子制御装置の基準電圧Ｖｒｅｆとをメモリ２２１に記憶させることで、制御部２２０がメモリ２２１にアクセスして光素子制御装置の基準電圧Ｖｒｅｆを読み出し、光素子制御装置の基準電圧Ｖｒｅｆに応じた角度・電圧変換データテーブルにより制御情報を補正する。
【００５４】
このように本実施の形態によれば、光素子制御装置の基準電圧Ｖｒｅｆを測定し、ユニット評価機３００の基準電圧Ｖｒｅｆ’との差に基いて、光通信用ミラー５１ａの角度を指示する電圧指示値を事前に補正することで、学習時の粗調整目標値の精度が高められ、学習に掛かる時間を短縮できる。
【００５５】
なお、ユニット評価機３００の基準電圧Ｖｒｅｆ’での角度・電圧変換データテーブル及び該基準電圧Ｖｒｅｆ’前後の複数の電圧の角度・電圧変換データテーブルをメモリ２２１に記憶させるとしたが、これに限らず、図６のようにユニット評価機３００の基準電圧Ｖｒｅｆ’の角度・電圧変換データテーブル及び光素子制御装置の基準電圧Ｖｒｅｆのみメモリ２２１に記憶させ、制御部２２０がメモリ２２１にアクセスして光素子制御装置の基準電圧Ｖｒｅｆ及びユニット評価機３００の基準電圧Ｖｒｅｆ’の角度・電圧変換データテーブルを読み出し、ユニット評価機３００の基準電圧Ｖｒｅｆ’の角度・電圧変換データテーブルより光素子制御装置の基準電圧Ｖｒｅｆに応じたデータテーブルを演算して制御情報を補正するようにしてもよい。
【００５６】
本発明は、上述した実施の形態に限定されるものではなく、本発明の要旨を変えない範囲において、種々の変更、改変等が可能である。
【００５７】
【発明の効果】
以上説明したように本発明によれば、予め夫々の光路切換素子に対し入力用光ファイバーから出力用光ファイバーヘ導光する為の、全てのミラー角度条件を短時間で得ることができるという効果がある。
【図面の簡単な説明】
【図１】本発明の実施の形態に係る光路切換制御装置を示すブロック図
【図２】図１の入力用光路切換手段及び光路切換駆動手段からなる光路切換素子を示すブロック図
【図３】図２の入力用光路切換手段及び光路切換駆動手段からなる光路切換素子を単体で評価するユニット評価機を示すブロック図
【図４】ユニット評価機の基準電圧の測定を説明する図
【図５】図２のメモリに格納されるデータを示す図
【図６】図２のメモリに格納されるデータの変形例を示す図
【図７】従来の光路切換制御装置を示す図
【図８】従来の光路切換制御装置で使用される入力用光路切換手段及び光路切換駆動手段の構成を示すブロック図
【図９】従来の基準電圧源を示す図
【図１０】従来の基準電圧源の変形例を示す図
【符号の説明】
１０…統括制御部
１１…制御演算部
１２…記憶手段
２０…温度検出器
２１〜２７，９１〜９７…光路切換駆動手段
３１〜３７…入力用光ファイバ
４１〜４７…出力用光ファイバ
５１〜５７…入力用光路切換手段
６１〜６７…出力用光路切換手段
７１〜７７…入力光用コリメータレンズ
８１〜８７…出力光用コリメータレンズ
２１１…発光素子駆動回路
２１２…発光素子
２１３…ＰＳＤ
２１４…電流／電圧アンプ
２１５…差動アンプ
２１６…Ａ／Ｄコンバータ
２１７…Ｄ／Ａコンバータ
２１８…ミラー駆動回路
２１９…受光量検出部
２２０…制御部
２２１…メモリ
３００…ユニット評価機
【図１】
2004212659.tif 000003
【図２】
2004212659.tif 000004
【図３】
2004212659.tif 000005
【図４】
2004212659.tif 000006
【図５】
2004212659.tif 000007
【図６】
2004212659.tif 000008
【図７】
2004212659.tif 000009
【図８】
2004212659.tif 000010
【図９】
2004212659.tif 000011
【図１０】
2004212659.tif 000012